(57)【要約】      （修正有）【課題】デジタルオーディオデータ配付側が音質、メディアの形状を自由に決定できるようなデジタルオーディオデータ配付システムを提供する。【解決手段】デジタルコンテンツデータが格納されるメモリーを有するメディア部と、前記メディア部に設けられる第一コネクタ部と、前記デジタルコンテンツデータを再生する再生部と、前記再生部に設けられる第二コネクタ部とを備え、前記メディア部と前記再生部は、前記第一コネクタ部と前記第二コネクタ部により脱着可能に接続される。前記メディア部と前記再生部とが脱着可能に接続されることにより、メディア部を取り替えることによって一つの再生部で異なるデジタルコンテンツを再生することができる。第一コネクタ部と第二コネクタ部以外の設計に自由度を持たせることにより、メディア部及び再生部の筐体の形状やサイズを自由に決定することができる。【選択図】図４
2006343700.tif 000002
【特許請求の範囲】
【請求項１】
デジタルコンテンツデータが格納されるメモリーを有するメディア部と、前記メディア部に設けられる第一コネクタ部と、前記デジタルコンテンツデータを再生する再生部と、前記再生部に設けられる第二コネクタ部と、を備え、前記メディア部と前記再生部が、前記第一コネクタ部と前記第二コネクタ部によって脱着可能に接続されるデジタルコンテンツ配布装置。
【請求項２】
前記第一コネクタ部及び前記第二コネクタ部以外の設計に自由度を持たせることを特徴とする請求項１に記載のデジタルコンテンツ配布装置。
【発明の詳細な説明】
【技術分野】
【０００１】  本発明は、デジタルコンテンツデータを格納するためのメモリーを有するメディア部と、デジタルコンテンツデコーダを有する再生部からなるデジタルコンテンツプレーヤーを用いて、デジタルコンテンツデータ配付側が自由に音質、メディアの形状を決定して配布することを可能とするデジタルコンテンツデータ配付システムに関するものである。
【背景技術】
【０００２】  従来、オーディオソフトの配付はＣＤなどの規格で決定されている音質およびメディア形状を用いて行われていた。また別の方法としてインターネットを用いてデジタルオーディオデータのみを転送する方法が用いられていた。
【特許文献１】特許公開２００１−３３７６８６
【発明の開示】
【発明が解決しようとする課題】
【０００３】  しかしながら、従来のＣＤによるオーディオソフトの配付においては音質およびメディアの形状は規格で決定されており、オーディオソフト配付側では音質およびメディアの形状を自由に決定することができなかった。また従来のインターネットを用いたオーディオソフト配付方法においては、メディアを必要としないため、オーディオソフトと一緒に提供したい情報（たとえばＣＤの場合に同梱される小冊子に記載される情報）もデジタルオーディオのファイル内にデジタルデータとして格納する必要があり、オーディオソフト配付側はオーディオソフトに関する情報の提供にもコンピュータを必要とし、さらに購入者もオーディオソフトに関する情報のみを閲覧する際にもコンピュータが必要であった。【０００４】  本発明は、従来のオーディオソフト配付システムが有していた問題を解決しようとするものであり、デジタルオーディオデータ配付側が音質、メディアの形状を自由に決定できるようなデジタルオーディオデータ配付システムを実現するものである。
【課題を解決するための手段】
【０００５】  （１）上記目的を達成するためのデジタルコンテンツ配布装置は、デジタルコンテンツデータが格納されるメモリーを有するメディア部と、前記メディア部に設けられる第一コネクタ部と、前記デジタルコンテンツデータを再生する再生部と、前記再生部に設けられる第二コネクタ部と、を備え、前記メディア部と前記再生部は、前記第一コネクタ部と前記第二コネクタ部により脱着可能に接続される。
前記メディア部と前記再生部とが脱着可能に接続されることにより、メディア部を取り替えることによって一つの再生部で異なるデジタルコンテンツを再生することができる。【０００６】  （２）上記デジタルコンテンツ配布装置は、前記第一コネクタ部及び前記第二コネクタ部以外の設計に自由度を持たせてもよい。
第一コネクタ部と第二コネクタ部以外の設計に自由度を持たせることにより、メディア部及び再生部の筐体の形状やサイズを自由に決定することができる。
【発明の効果】
【０００７】  再生部とメディア部を接続するためのコネクタの形状および端子配置のみが決定されており、それ以外の筐体の形状およびメモリーのサイズは自由であるため、デジタルコンテンツデータ配付側はデジタルコンテンツデータの配付目的により、デジタルコンテンツのデータサイズ、メディアの形状を自由に決定できる。（たとえば、販売促進目的の場合は、低音質のデジタルオーディオデータを小容量のメモリーに格納したメディア部の筐体を大きくして、その表面にアーティスト名、アルバム名、発売日、価格などが記載されたステッカーを貼付することも可能である。）
【発明を実施するための最良の形態】
【０００８】  以下本発明の実施の形態を図１〜５に基づいて説明する。【０００９】（１）構成
図１は再生部３１のハードウェア構成を示すブロック図、図２はメディア部３２のハードウェア構成を示すブロック図、図３は再生部３１とメディア部３２とを接続した状態を示す模式図である。
マイクロコントローラ１１は、図示しないＣＰＵ、ＲＯＭ、ＲＡＭ等を備える。ＲＯＭには制御プログラムが格納されており、ＣＰＵは制御プログラムを実行することにより、デジタルコンテンツ配布装置の各部を制御する。
メモリー２１にはデジタルコンテンツデータとしてのデジタルオーディオデータが格納されている。デジタルオーディオデータは、例えばＭＰ３やＷＭＡ形式に圧縮された圧縮オーディオデータであってもよいし、ＰＣＭ形式の高品質のオーディオデータであってもよい。
第一コネクタ部２２と第二コネクタ部１４とは、コネクタの形状及び端子配列及び通信プロトコルが予め決定されている。
マイクロコントローラ１１によって第一コネクタ部２２及び第二コネクタ部１４を経由してメモリー２１から読み出されたデジタルオーディオデータは、バッファ１３に転送される。さらにバッファ１３からデジタルオーディオデコーダ１２に転送されたデジタルオーディオデータはデコードされた後、Ｄ／Ａ変換によってアナログオーディオシグナルとなりスピーカやイヤホンに出力される。【００１０】  図５はデジタルコンテンツデータとして、デジタルビデオデータの再生を可能にする再生部のハードウェア構成を示すブロック図である。デジタルビデオデコーダ５３は、デジタルビデオデータをデコードする。【００１１】  （２）デジタルコンテンツデータの配布
マイクロコントローラ１１、デジタルオーディオデコーダ１２を内蔵する再生部３１は、メモリー２１を内蔵するメディア部３２と、再生部のコネクタ１４とメディア部のコネクタ２２で接続される。コネクタ１４とコネクタ２２の形状、端子配列のみが決定されているため、再生部３１の形状およびメディア部３２の形状およびメディア部３２に内蔵されるメモリー２１はデジタルコンテンツデータ配付側が自由に決定することが可能となる。【００１２】  図４は再生部とメディア部が合体した図であり、４１、４２、４３はメディア部のヴァリエーション例である。【００１３】  また上記デジタルオーディオプレーヤーの再生部３１にデジタルビデオデコーダ５３を増設することにより、メディア部３２に格納されたデジタルビデオデータの再生も可能となる。【００１４】  さらに、上記デジタルコンテンツプレーヤーを用いてデジタルコンテンツデータ配付側がデジタルコンテンツデータを提供する方法として、メディア部３２の形状をデジタルコンテンツデータ提供の目的に合わせて決定し、さらに例４１、４２、４３のようにデジタルコンテンツデータ配付側が形状を決定した筐体上に情報（例えばイラストや文字）を表示してデジタルコンテンツデータと一緒に提供する。例えば提供目的がオーディオソフトの販売促進である場合は、デジタルオーディオデータの音質を低くして、メモリー２１の容量を小さくする。さらにメディア部３２の筐体を大きくして、筐体上に販売促進のための情報（発売元、価格、発売日など）を記載することも可能であり、例えば提供目的が教育教材用であれば、デジタルオーディオデータの音質を高くして、筐体には作曲者の履歴を記載することも可能である。
【図面の簡単な説明】
【００１５】
【図１】  再生部のブロック図
【図２】  メディア部のブロック図
【図３】  再生部とメディア部の合体図
【図４】  メディア部の形状例
【図５】  デジタルビデオデコーダを増設した再生部のブロック図
【符号の説明】
【００１６】１１  マイクロコントローラ
１２  デジタルオーディオデコーダ
１３  バッファ
１４  コネクタ
２１  メモリー
２２  コネクタ
３１  再生部
３２  メディア部
４１  本発明のメディア部形状の一例
４２  本発明のメディア部形状の一例
４３  本発明のメディア部形状の一例
５１  マイクロコントローラ
５２  デジタルオーディオデコーダ
５３  デジタルビデオデコーダ
５４  バッファ
５５  コネクタ
【図１】
2006343700.tif 000003
【図２】
2006343700.tif 000004
【図３】
2006343700.tif 000005
【図４】
2006343700.tif 000006
【図５】
2006343700.tif 000007